(57)【要約】【課題】防獣用柵などの柵を立てる際の作業負担を軽減することができる柵用支柱を提供する。【解決手段】柵用支柱は、杭と、前記杭との間にフェンス体の一部分を挟み込んだ状態で前記杭に取り付けられる留め具と、を備えている。当該柵用支柱は、杭と留め具との間にフェンス体の一部を挟み込んだ状態で留め具を杭に取り付けるだけで、フェンス体を杭に固定することができ、紐や針金を用いてフェンス体を杭に固定する作業が不要である。【選択図】  図１
2019013158.tif 000002
【特許請求の範囲】
【請求項１】
杭と、
前記杭との間にフェンス体の一部分を挟み込んだ状態で前記杭に取り付けられる留め具と、を備えた柵用支柱。
【請求項２】
前記杭は前記留め具の両端部を挿入するための取付穴を有し、
前記留め具は、本体部分が略Ｕ字型の形状を有し、両端部が前記取付穴に挿入される前後において両端間の幅寸法が弾性的に変化するように両端が折り返されて弾性構造をなし、前記両端部が前記取付穴に挿入されて両端間の幅寸法が変化することにより前記両端部が前記杭の内面と係合して前記杭に固定されるものである、請求項１に記載の柵用支柱。
【請求項３】
前記杭の長手方向における複数の位置に前記留め具を取り付けられるように、複数の前記取付穴が前記杭の長手方向に等間隔に設けられている、請求項２に記載の柵用支柱。
【発明の詳細な説明】
【技術分野】
【０００１】
本発明は、フェンス体を支持して防獣用柵などの柵を形成するための柵用支柱に関するものである。
【背景技術】
【０００２】
猪や鹿といった獣が農地や住居に侵入することを防止する方法として、防獣用柵を立てることが従来から行われている。防獣用柵を立てる場合、複数の杭を互いに間隔を空けて地面に打ち込み、それらの杭にフェンス体を固定するというのが一般的である（例えば、特許文献１参照。）。フェンス体とは、例えば樹脂や金属からなる線によって形成された網目状や格子状のフェンス面を有するものである。
【先行技術文献】
【特許文献】
【０００３】
【特許文献１】特開２００８−３０６９４０号公報
【発明の概要】
【発明が解決しようとする課題】
【０００４】
上記のような柵を立てる際は、間隔をもって地面に打ち込まれた杭に対して、紐や針金を使ってフェンス体を括り付けてフェンス体を杭に固定することが一般的である。しかし、広大な範囲に防獣用柵を立てるような場合には、地面に打ち込まれる杭の数も膨大になり、杭に対して紐や針金でフェンス体を括り付けて固定する作業も膨大になり、柵を形成する作業が非常に煩雑なものとなっていた。
【０００５】
そこで、本発明は、防獣用柵などの柵を立てる際の作業負担を軽減することができる柵用支柱を提供することを目的とするものである。
【課題を解決するための手段】
【０００６】
本発明に係る柵用支柱は、杭と、前記杭との間にフェンス体の一部分を挟み込んだ状態で前記杭に取り付けられる留め具と、を備えている。
【０００７】
本発明に係る柵用支柱の好ましい実施形態では、前記杭は前記留め具の両端部を挿入するための取付穴を有し、前記留め具は、本体部分が略Ｕ字型の形状を有し、両端部が前記取付穴に挿入される前後において両端間の幅寸法が弾性的に変化するように両端が折り返されて弾性構造をなし、前記両端部が前記取付穴に挿入されて両端間の幅寸法が変化することにより前記両端部が前記杭の内面と係合して前記杭に固定されるものである。これにより、留め具の両端部を杭の取付穴に挿入するだけで留め具が杭に固定されるので、杭に対するフェンス体の固定が容易である。
【０００８】
また、杭の長手方向における複数の位置に留め具を取り付けられるように、複数の取付穴が杭の長手方向に等間隔に設けられていることが好ましい。そうすれば、杭に対する留め具の取付け位置を自由に変更することができ、フェンス体の取付けの自由度が広がる。
【発明の効果】
【０００９】
本発明に係る柵用支柱では、杭と留め具との間にフェンス体の一部を挟み込んだ状態で留め具を杭に取り付けるだけであるので、紐や針金を用いてフェンス体を杭に固定する作業が不要であり、防獣柵などの柵を立てる際の作業負担が軽減される。
【図面の簡単な説明】
【００１０】
【図１】柵用支柱の一実施例の構成図である。
【図２】同実施例の柵用支柱にフェンス体を固定した状態を示す図である。
【図３】同実施例の杭と留め具の構造を説明するための断面図である。
【図４】留め具を用いてフェンス体を杭に固定する前の状態を示す断面図である。
【図５】留め具の端部を杭の取付穴へ挿入する途中の状態を示す断面図である。
【図６】留め具の端部を杭の取付穴へ完全に挿入した状態を示す断面図である。
【図７】杭と留め具の構造の他の実施例を説明するための断面図である。
【発明を実施するための形態】
【００１１】
以下に、本発明に係る柵用支柱の一実施例について、図面を用いて説明する。
【００１２】
図１に一実施例の柵用支柱の構成を示す。
【００１３】
この実施例の柵用支柱は、杭２と留め具４によって構成される。杭２は、例えば中空円筒形状でかつ鋼鉄製の鋼管杭である。杭２の外面には複数の取付穴２ａが設けられている。取付穴２ａは、杭２の長手方向に等間隔にかつ一列に配置されている。取付穴２ａは留め具４を杭２に取り付けるためのものである。この実施例では、取付穴２ａは杭２の長手方向へ延びる長穴となっているが、必ずしも長穴である必要はない。
【００１４】
留め具４は一方側（図１において左側）が開口した矩形枠型（略Ｕ字型）の形状を有する金具である。留め具４の両側の端部４ａが外側方向へ鋭角に折り返されている。
【００１５】
この柵用支柱は、図２に示されているように、杭２の下端部を地中に打ち込み、フェンス体６の一部６ａを杭２と留め具４との間に挟み込んだ状態で留め具４の端部４ａを杭２の適当な２つの取付穴２ａに挿入することにより、フェンス体６を支持する。図２では、フェンス体６として金属線が格子状に組まれたものを用いているが、樹脂製や布製のフェンス体であっても同様に適用することができる。
【００１６】
図３に示されているように、留め具４の端部４ａの間の幅寸法Ｌは杭２の取付穴２ａのうち互いに隣り合う２つの取付穴２ａの最も近接した端部間の間隔の寸法ｂと略同一又はそれよりも僅かに大きくなるように設計されている。留め具４の端部４ａの折返し部分の幅寸法ｄ（折返しの基端から先端までの幅寸法）は、取付穴２ａの長さ寸法ａよりも大きくなるように設計されている。留め具４の太さは、例えば１〜２ｍｍ程度である。
【００１７】
留め具４を用いてフェンス体６（図２参照）を杭２に固定する際は、図４に示されているように、フェンス体６の一部６ａを杭２と留め具４との間に挟み込みながら端部４ａを取付穴２ａに押し付ける。このとき、留め具４の端部４ａの幅寸法ｄは杭２の取付穴２ａの長さ寸法ａよりも大きいため、端部４ａが取付穴２ａの縁に接触する。
【００１８】
図４の状態からさらに留め具４を杭２側へ押し込むと、図５に示されているように、留め具４の端部４ａが取付穴２ａの内側の縁に押し付けられることによって弾性変形し、端部４ａの幅寸法が小さくなる。そして、図６に示さているように、端部４ａが完全に取付穴２ａの中へ押し込まれると、端部４ａは弾性力によって元の状態に戻り、取付穴２ａの長さ寸法ａよりも大きくなり、留め具４の両端が杭２の内面と係合して取付穴２ａから抜けなくなる。これにより、留め具４が杭２に固定され、それによって杭２と留め具４の間に一部６ａが挟み込まれたフェンス体６が杭２に固定される。
【００１９】
すなわち、留め具４は、杭２の取付穴２ａに挿入される前後において両端間の幅寸法が弾性的に変化するものである。このように、留め具４を構成する材料の弾性を利用して杭２に留め具を固定する構造は、上記のものに限定されない。上記実施例では、留め具４の両端を外側方向へ折り返すことによって弾性構造を形成しているが、図７に示されているように、留め具４の両端を内側方向へ鋭角に折り返して弾性構造を形成してもよい。
【００２０】
図７の実施例では、留め具４の長さ寸法Ｌを、互いに隣り合う取付穴２ａの最も離れた端部間の間隔ｃと略同一又はそれよりも僅かに小さくなるように設計している。留め具４の端部４ａの折返し部分の幅寸法ｄ（折返しの基端から先端までの幅寸法）は、取付穴２ａの長さ寸法ａよりも大きくなるように設計されている。このように設計しても、上記の実施例と同様に、留め具４の端部４ａを取付穴２ａに押し込むように留め具４を杭２に押し付けると、端部４ａの折返し部分が弾性変形して端部４ａが取付穴２ａの中に入り込み、留め具４の両端が杭２の内面と係合して取付穴２ａから抜けなくなる。
【００２１】
このように、杭２と留め具４からなる柵用支柱は、杭２と留め具４との間にフェンス体６の一部６ａを挟み込んだ状態で留め具４の端部４ａを杭２の取付穴２ａへ挿し込むだけで、フェンス体６を杭２に固定することができるので、紐や針金を用いてフェンス体６を杭２へ括り付けるといった作業が不要になり、防獣用柵などの柵を形成する際の作業負担が大幅に軽減される。
【符号の説明】
【００２２】
２      杭
２ａ      取付穴
４      留め具
４ａ      留め具の端部
６      フェンス体
６ａ      フェンス体の一部
【図１】
2019013158.tif 000003
【図２】
2019013158.tif 000004
【図３】
2019013158.tif 000005
【図４】
2019013158.tif 000006
【図５】
2019013158.tif 000007
【図６】
2019013158.tif 000008
【図７】
2019013158.tif 000009
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
外面に３つ以上の取付穴が長手方向に一列かつ等間隔に並んで設けられている杭と、
前記杭に設けられている前記３つ以上の取付穴のうち互いに隣り合う２つの前記取付穴にそれぞれ挿入される両端部を有し、前記杭との間にフェンス体の一部分を挟み込んだ状態で前記両端部が前記取付穴に挿入されることにより前記杭に取り付けられる略Ｕ字型の留め具と、を備えた柵用支柱。
【請求項２】
前記留め具の前記両端部は、前記取付穴に挿入される前後において両端間の幅寸法が弾性的に変化するように両端が折り返されて弾性構造をなし、前記両端部が前記取付穴に挿入されて両端間の幅寸法が変化することにより前記両端部が前記杭の内面と係合して前記杭に固定されるものである、請求項１に記載の柵用支柱。